(57)【要約】【課題】携帯電話機の所有者にとって有意義な出力が可能な携帯電話機用ストラップを提供すること。【解決手段】自局宛の着呼信号（電子メールの着信信号を含む）以外の通信信号（例えば、Blue Tooth方式の通信信号）を他の携帯電話機から受信する受信部と、前記受信部により受信した通信信号に応じた出力（例えば、光、音、画像表示、振動、部材の動作等）を行う出力部とを備えることを特徴とする携帯電話機用ストラップ。【選択図】  図１
2009188614.tif 000002
【特許請求の範囲】
【請求項１】
自局宛の着呼信号以外の通信信号を他の携帯電話機から受信する受信部と、
前記受信部により受信した通信信号に応じた出力を行う出力部と
を備えることを特徴とする携帯電話機用ストラップ。
【請求項２】
前記受信部により受信する通信信号のパターンと、前記出力部による出力態様とが対応付けられた出力態様テーブルを記憶する記憶部を備え、
前記出力部は、前記出力態様テーブルを参照し、前記受信部により受信した通信信号のパターンに応じた出力を行うことを特徴とする請求項１に記載の携帯電話機用ストラップ。
【請求項３】
使用者によって操作される操作部と
前記通信信号に応じた出力を行ったとき、前記操作部に対する操作に応じて、前記他の携帯電話機に対して、応答信号を送信することを特徴とする請求項１又は２に記載の携帯電話機用ストラップ。
【請求項４】
請求項３に記載の携帯電話機用ストラップとの通信が可能であり、
画像の表示が可能な表示部と、指示が入力される入力部と、コンピュータとを備える携帯電話機の前記コンピュータによって実行されるプログラムであって、
前記コンピュータに、
（Ａ）前記表示部に、通信信号のパターンを選択するための選択画像を表示する処理と、
（Ｂ）前記表示部に選択画像が表示されているときに通信信号のパターンを選択する指示が入力されたとき、選択されたパターンを有する通信信号を出力する処理と、
（Ｃ）前記応答信号を受信したとき、前記表示部に、前記応答信号に応じた画像を表示する処理と
を実行させることを特徴とするプログラム。
【請求項５】
前記通信信号のパターンは、該通信信号の送信先の携帯電話機用ストラップを識別する識別情報と、前記出力部による出力態様とを示すものであることを特徴とする請求項４に記載のプログラム。
【発明の詳細な説明】
【技術分野】
【０００１】
本発明は、携帯電話機用ストラップ及び携帯電話機用のプログラムに関する。
【背景技術】
【０００２】
従来の携帯電話機では、着信をブザー音により告知したり、着信時に紐状のストラップに吊るした玩具が、電磁波に反応して発光するものや振動するものがあった（例えば、特許文献１、２参照）。また、従来の携帯電話機用ストラップには、携帯電話機から出力される音声に応じて発光するものがあった（例えば、特許文献３参照）また、従来の携帯電話機用ストラップには、通話時に携帯電話機から発せられる電磁波に応じて音声を出力するものがあった（例えば、特許文献４参照）。更に、携帯電話機用ストラップの出力態様についても各種の工夫がなされたものがあった（例えば、特許文献５〜１１参照）。
【０００３】
【特許文献１】特開２００２−２７６０１号公報
【特許文献２】特開２００５−２３６７６２号公報
【特許文献３】特開２００２−６４６００号公報
【特許文献４】特開２０００−２３６３７０号公報
【特許文献５】特開２０００−１３４２９４号公報
【特許文献６】特開２０００−３１２６１３号公報
【特許文献７】特開２００１−６９２０２号公報
【特許文献８】特開２００２−３３０１９６号公報
【特許文献９】特開２００５−２２３８８９号公報
【特許文献１０】特開２００７−２８５５８号公報
【特許文献１１】特開２００７−２８５５９号公報
【発明の開示】
【発明が解決しようとする課題】
【０００４】
しかしながら、着信時又は通話時に携帯電話機から出力される電磁波によって、携帯電話機のストラップが所定の出力（例えば、光、音、画像表示、振動、部材の動作等）を行うとき、携帯電話機の所有者は、携帯電話機の着信音や振動等によって既に着信に気付いているか若しくは容易に気付くことができ、又は、既に通話中である。そのため、携帯電話機の所有者にとって、従来の携帯電話機用ストラップからの出力は、単なるアクセサリに過ぎず、あまり意味のあるものではなかった。
【０００５】
本発明は、上述した課題に鑑みてなされたものであり、その目的は、携帯電話機の所有者にとって有意義な出力が可能な携帯電話機用ストラップを提供することにある。
【課題を解決するための手段及び効果】
【０００６】
以上のような目的を達成するために、本発明は、以下のようなものを提供する。
（１）  自局宛の着呼信号以外の通信信号を他の携帯電話機から受信する受信部と、
前記受信部により受信した通信信号に応じた出力を行う出力部と
を備えることを特徴とする携帯電話機用ストラップ。
【０００７】
（１）の発明によれば、受信部は、自局宛の着呼信号（電子メールの着信信号を含む）以外の通信信号（例えば、Blue Tooth方式の通信信号）を他の携帯電話機から受信し、出力部は、受信部により受信した通信信号に応じた出力（例えば、光、音、画像表示、振動、部材の動作等）を行う。従って、他の携帯電話機は、携帯電話機用ストラップに対して通信信号を出力することにより、携帯電話機用ストラップに出力を行わせることができる。このように（１）の発明によれば、携帯電話機の所有者にとって有意義な出力が可能であり、携帯電話機用ストラップを用いた簡単な通信が可能である。
携帯電話機間の通信は、通話や電子メールがあるが、いずれも受け手が携帯電話機を操作しなければ、送り手から送られる情報が受け手に伝わらないものである。しかし、（１）の携帯電話機用ストラップによれば、受信部が他の携帯電話機から受信信号を受信したことを受けて、出力部が通信信号に応じた出力を行うため、受け手は特に操作を行わなくても、送り手からの情報を取得することができる。従って、（１）の携帯電話機用ストラップを携帯電話機に取り付けることにより、携帯電話機の所有者は、携帯電話機による通信、即ち、受け手の操作を要する情報量の比較的多い通信と、携帯電話機用ストラップによる通信、即ち、受け手の操作を要さない情報量の比較的少ない通信との両方を行うことができる。
【０００８】
さらに、本発明は、以下のようなものを提供する。
（２）  前記（１）の携帯電話機用ストラップであって、
前記受信部により受信する通信信号のパターンと、前記出力部による出力態様とが対応付けられた出力態様テーブルを記憶する記憶部を備え、
前記出力部は、前記出力態様テーブルを参照し、前記受信部により受信した通信信号のパターンに応じた出力を行うことを特徴とする。
【０００９】
（２）の発明によれば、出力部は、記憶部に記憶された出力態様テーブルを参照し、受信部により受信した通信信号のパターン（例えば、波形、振幅、周波数等）に応じた出力を行う。従って、出力のバリエーションを増やすことができ、当該通信での情報量を増加させることができる。
【００１０】
さらに、本発明は、以下のようなものを提供する。
（３）  前記（１）又は（２）の携帯電話機用ストラップであって、
使用者によって操作される操作部と
前記通信信号に応じた出力を行ったとき、前記操作部に対する操作に応じて、前記他の携帯電話機に対して、応答信号を送信することを特徴とする。
【００１１】
（３）の発明によれば、使用者は、携帯電話機用ストラップの操作部を操作し、他の携帯電話機に対して通信を行うことが可能である。その結果、当該通信での情報量を増加させることができ、利便性の高い通信が可能である。
【００１２】
さらに、本発明は、以下のようなものを提供する。
（４）  前記（３）の携帯電話機用ストラップとの通信が可能であり、
画像の表示が可能な表示部と、指示が入力される入力部と、コンピュータとを備える携帯電話機の前記コンピュータによって実行されるプログラムであって、
前記コンピュータに、
（Ａ）前記表示部に、通信信号のパターンを選択するための選択画像を表示する処理と、
（Ｂ）前記表示部に選択画像が表示されているときに通信信号のパターンを選択する指示が入力されたとき、選択されたパターンを有する通信信号を出力する処理と、
（Ｃ）前記応答信号を受信したとき、前記表示部に、前記応答信号に応じた画像を表示する処理と
を実行させることを特徴とするプログラム。
【００１３】
（４）の発明によれば、携帯電話機用ストラップに対して出力する通信信号のパターンを選択することが可能であり、当該通信での情報量を増加させることができ、利便性の高い通信が可能である。
【００１４】
さらに、本発明は、以下のようなものを提供する。
（５）  前記（４）のプログラムであって、
前記通信信号のパターンは、該通信信号の送信先の携帯電話機用ストラップを識別する識別情報と、前記出力部による出力態様とを示すものであることを特徴とする。
【００１５】
（５）の発明によれば、携帯電話機を操作して、通信信号のパターンとして、通信信号の送信先の携帯電話機用ストラップを識別する識別情報と、出力部による出力態様とを選択することができるため、当該通信での情報量を増加させることができ、利便性の高い通信が可能である。
【発明を実施するための最良の形態】
【００１６】
図１は、本発明の携帯電話機用ストラップと携帯電話機とを示す外観図である。
携帯電話機３００Ａには、携帯電話機用ストラップ１０が取り付けられている。携帯電話機用ストラップ１０は、携帯電話機３００Ｂとの無線通信が可能である。
携帯電話機用ストラップ１０と携帯電話機３００Ｂとの無線通信は、携帯電話機３００Ａ、３００Ｂの発着呼時若しくは通話時の信号、又は、電子メール送受信時の信号以外の信号により行われる。本実施形態においては、具体的に、Blue Tooth（登録商標）による通信が行われる場合について説明するが、本発明において、携帯電話機用ストラップと携帯電話機との無線通信方式は、特に限定されるものではなく、従来公知の通信方式を採用可能である。また、通信媒体も、特に限定されるものではなく、例えば、電磁波、赤外線等を挙げることができる。
【００１７】
携帯電話機用ストラップ１０は、図１に示すように、矩形柱状の本体部１０ａと、紐状の取付部１０ｂと、ストラップ部１０ｃとからなる。本体部１０ａは、ＹＥＳボタン１５、ＮＯボタン１６、星型ランプ１８、ハート型ランプ１９及び月型ランプ２０を備えており、各ランプ１８〜２０は、複数色（例えば、赤、青、緑、白等）で点灯可能なＬＥＤが内蔵されている。
ＹＥＳボタン１５及びＮＯボタン１６は、使用者によって操作される操作部に相当する。
星型ランプ１８、ハート型ランプ１９及び月型ランプ２０は、通信信号に応じた出力を行う出力部に相当する。
【００１８】
図２は、図１に示した携帯電話機用ストラップの内部構成を示すブロック図である。
携帯電話機用ストラップ１０は、マイクロコンピュータ１１と、書換可能なメモリ１２と、無線通信部１３とを備えている。また、マイクロコンピュータ１１には、Ｉ／Ｆ１４を介して、ＹＥＳボタン１５及びＮＯボタン１６が接続されており、Ｉ／Ｆ１７を介して、星型ランプ１８、ハート型ランプ１９及び月型ランプ２０が接続されている。
【００１９】
マイクロコンピュータ１１は、無線通信部１３を介して携帯電話機３００Ｂから受信した通信信号、並びに、ＹＥＳボタン１５又はＮＯボタン１６が操作されることにより入力された指示に応じて、メモリ１２に記憶されたプログラムを読み出して実行する。
マイクロコンピュータ１１は、上記プログラムの実行結果に基づいて、星型ランプ１８、ハート型ランプ１９若しくは月型ランプ２０を点灯させたり、携帯電話機３００Ｂに応答信号を送信したりする。
【００２０】
メモリ１２は、マイクロコンピュータ１１によって読み出されて実行されるプログラムを記憶する。更に、メモリ１２は、第一出力態様テーブル（図４（ｃ）参照）と、第二出力態様テーブル（図４（ｄ）参照）と、応答信号パターンテーブル（図４（ｅ）参照）とを記憶する。
第一出力態様テーブルは、携帯電話機３００Ｂから受信する通信信号のパターンと、発光するランプとの対応関係を示すものである。
第二出力態様テーブルは、携帯電話機３００Ｂから受信する通信信号のパターンと、ランプの発光色との対応関係を示すものである。
応答信号パターンテーブルは、操作されたボタンと、出力する応答信号のパターンとの対応関係を示すものである。
【００２１】
無線通信部１３は、Blue toothによる通信を行うためのユニットであり、周囲の所定範囲内に存在するBlue toothによる通信可能な携帯電話機との通信接続を確立し、該携帯電話機との通信を行う。本実施形態では、通信対象が携帯電話機３００Ｂである場合について説明するが、通信対象となる携帯電話機は、特に限定されるものではない。また、通信対象となる携帯電話機の台数も特に限定されるものではなく、複数台の携帯電話機と通信を行うこととしてもよい。
【００２２】
ＹＥＳボタン１５及びＮＯボタン１６は、星型ランプ１８、ハート型ランプ１９又は月型ランプ２０が点灯しているときに操作可能となるボタンである。
星型ランプ１８、ハート型ランプ１９及び月型ランプ２０は、携帯電話機３００Ｂから通信信号を受信したときに、通信信号のパターンに応じた態様で点灯する。
【００２３】
図３は、図１に示した携帯電話機の内部構成を示すブロック図である。
携帯電話機３００は、操作部３０４（入力部）、液晶パネル３０６（表示部）、Blue toothによる通信を行うための無線通信部３０８、無線部３１０、音声回路３１２、スピーカ３１４、マイクロフォン３１６、送受信アンテナ３１８、不揮発性メモリ３２０、マイクロコンピュータ３２２（コンピュータ）及び二次電池３２４を備えている。
【００２４】
無線部３１０は、マイクロコンピュータ３２２により制御されて、送受信アンテナ３１８を通じて電波を媒体として基地局に対して送受信する。
音声回路３１２は、無線部３１０からマイクロコンピュータ３２２を通じて出力された受信信号をスピーカ３１４に出力するとともに、マイクロフォン３１６から出力された音声信号を送信信号としてマイクロコンピュータ３２２を通じて無線部３１０に出力する。
【００２５】
スピーカ３１４は、音声回路３１２から出力された受信信号を受信音声に変換して出力し、マイクロフォン３１６は、操作者から発せられた送信音声を音声信号に変換して音声回路３１２に出力する。不揮発性メモリ３２０は、各種データや各種プログラムを不揮発性的に記憶する。二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。
【００２６】
メモリ３２０には、本発明に係るプログラムが記憶されている。上記プログラムは、マイクロコンピュータ３２２によって読み出されて実行されるものであり、マイクロコンピュータ３２２に、下記処理（Ａ）〜（Ｃ）を実行させる。
（Ａ）液晶パネル３０６に通信信号のパターンを選択するための選択画像（例えば図６（ａ）、（ｂ）参照）を表示する処理、
（Ｂ）液晶パネル３０６に選択画像が表示されているときに通信信号のパターンを選択する指示が入力されたとき、選択されたパターンを有する通信信号を出力する処理、及び、
（Ｃ）応答信号を受信したとき、液晶パネル３０６に、応答信号に応じた画像（例えば図６（ｃ）、（ｄ）参照）を表示する処理。
【００２７】
次に、携帯電話機用ストラップ１０のメモリ１２に記憶されたデータテーブル、及び、携帯電話機３００Ｂのメモリ３２０に記憶されたデータテーブルについて、図４を用いて説明する。
【００２８】
図４（ａ）は、選択画像表示情報テーブルを示す図である。
選択画像表示情報テーブルは、携帯電話機３００Ｂのメモリ３２０に記憶されており、複数の選択肢と、登録内容と、通信信号パターンとが対応付けられている。
【００２９】
選択肢「星」には、登録内容「あとでメールください」と、通信信号パターン「Ａ」とが対応付けられている。
選択肢「ハート」には、登録内容「いつもの場所にきてください」と、通信信号パターン「Ｂ」とが対応付けられている。
選択肢「月」には、登録内容「あとで電話ください」と、通信信号パターン「Ｃ」とが対応付けられている。
登録内容は、変更可能であり、使用者によって操作部３０４が操作されることにより入力され得る。
【００３０】
マイクロコンピュータ３２２は、メモリ３２０に記憶された選択画像表示情報テーブルに基づいて、所定のタイミングで、複数の選択肢と、各選択肢に対応付けられた登録内容とを示す送信情報選択画像（図６（ｂ）参照）を表示する。
【００３１】
図４（ｂ）は、通信対象登録テーブルを示す図である。
通信対象登録テーブルは、携帯電話機３００Ｂのメモリ３２０に記憶されており、複数の登録ノードＩＤと、登録名と、通信信号パターンとが対応付けられている。
登録ノードＩＤは、Blue toothによる通信において、通信対象となる携帯電話機用ストラップ１０を識別するための情報である。
なお、通信信号パターン（１）、（２）は、それぞれ通信信号の異なる部分のパターンであり、通信信号の送信先の携帯電話機用ストラップ１０を識別する識別情報としてのノードＩＤと、出力部としてのランプの出力態様とを示すものである。
【００３２】
登録ノードＩＤ「Ｐ」には、登録名「山田」と、通信信号パターン「Ｗ」とが対応付けられている。
登録ノードＩＤ「Ｑ」には、登録名「佐藤」と、通信信号パターン「Ｘ」とが対応付けられている。
登録ノードＩＤ「Ｙ」には、登録名「小林」と、通信信号パターン「Ｙ」とが対応付けられている。
なお、登録ノードＩＤ「−」には、登録名「unknown」と、通信信号パターン「Ｚ」とが対応付けられている。登録ノードＩＤ「−」は、Blue toothによる通信が可能な機器であるが、具体的なノードＩＤが登録されていないことを示す。
各登録ノードに対応付けられた登録名は、使用者によって操作部３０４が操作されることにより入力され得る。また、各登録ノードＩＤに対応付けられる通信信号パターンは、使用者によって操作部３０４が操作されることにより設定される。
【００３３】
マイクロコンピュータ３２２は、所定のタイミングで、通信可能範囲のなかに存在する携帯電話機用ストラップ１０を検索し、通信可能な携帯電話機用ストラップ１０からノードＩＤを受信する。そして、マイクロコンピュータ３２２は、通信対象登録テーブルを参照し、受信したノードＩＤと合致する登録ノードＩＤに対応付けられた登録名を、選択肢として、液晶パネル３０６に表示する（例えば図６（ａ）参照）。
【００３４】
登録内容と登録名が選択されると、携帯電話機３００のマイクロコンピュータ３２２は、登録内容と登録名に応じたパターンを有する通信信号を、携帯電話機用ストラップ１０に送信する。送信先の携帯電話機用ストラップ１０は、登録名に対応する登録ノードＩＤを有する。
【００３５】
携帯電話機用ストラップ１０のマイクロコンピュータ１１は、通信信号を受信すると、メモリ１２に記憶された出力態様テーブルに基づいて、出力態様を決定する。
図４（ｃ）は、第一出力態様テーブルを示す図であり、（ｄ）は、第二出力態様テーブルを示す図である。
【００３６】
第一出力態様テーブル及び第二出力態様テーブルは、メモリ１２に記憶されている。
第一出力態様テーブルにおいては、複数種類の通信信号パターンの夫々に、発光するランプが対応付けられている。
通信信号パターン「Ａ」には、星型ランプ１８が対応付けられている。
通信信号パターン「Ｂ」には、ハート型ランプ１９が対応付けられている。
通信信号パターン「Ｃ」には、月型ランプ２０が対応付けられている。
【００３７】
第二出力態様テーブルにおいては、複数種類の通信信号パターンの夫々に、ランプの発光色が対応付けられている。
通信信号パターン「Ｗ」には、発光色「赤」が対応されている。
通信信号パターン「Ｘ」には、発光色「青」が対応されている。
通信信号パターン「Ｙ」には、発光色「緑」が対応されている。
通信信号パターン「Ｚ」には、発光色「白」が対応されている。
【００３８】
従って、例えば、通信信号パターン（１）が「Ａ」、通信信号パターン（２）が「Ｗ」の通信信号を受信した場合、マイクロコンピュータ１１は、第一出力態様テーブル及び第二出力態様テーブルに基づいて、所定時間にわたって星型ランプ１８を赤色に点灯させる処理を行う。
【００３９】
いずれかのランプが点灯しているときにＹＥＳボタン１５又はＮＯボタン１６が操作されると、マイクロコンピュータ１１は、メモリ１２に記憶された応答信号パターンテーブルを参照し、応答信号のパターンを決定する。
図４（ｅ）は、応答信号パターンテーブルを示す図である。
応答信号パターンテーブルにおいては、操作部であるボタンに応じて、応答信号パターンが対応付けられている。
ＹＥＳボタン１５には、応答信号パターン「Ｋ」が対応付けられている。
ＮＯボタン１６には、応答信号パターン「Ｌ」が対応付けられている。
マイクロコンピュータ１１は、決定したパターンを有する応答信号を、携帯電話機３００Ｂに対して送信する処理を行う。
【００４０】
図４（ｆ）は、応答画像表示情報テーブルを示す図である。
応答画像表示情報テーブルは、携帯電話機３００のメモリ３２０に記憶されている。
応答信号表示情報テーブルにおいては、応答信号パターンに応じて、表示情報が記憶されている。
応答信号パターン「Ｋ」には、表示情報「了解しました」が対応付けられている。
応答信号パターン「Ｌ」には、表示情報「できません」が対応付けられている。
表示情報は、変更可能であり、使用者によって操作部３０４が操作されることにより入力され得る。
【００４１】
次に、携帯電話機３００と携帯電話機用ストラップ１０において行われる処理について説明する。
図５は、携帯電話機と携帯電話機用ストラップとの間で行われる処理を示すフローチャートである。
図６（ａ）〜（ｄ）は、携帯電話機に表示される画像を示す図である。
【００４２】
まず、携帯電話機３００のマイクロコンピュータ３２２は、操作部３０４が操作されることにより入力された指示に基づいて、メモリ３２０に記憶されたプログラムを実行し、アプリケーションを起動する（ステップＡ１０）。
【００４３】
次に、マイクロコンピュータ３２２は、通信可能範囲のなかに存在する携帯電話機用ストラップ１０を検索する（ステップＡ１１）。この処理において、マイクロコンピュータ３２２は、無線通信部１３により、問合せ信号を送信し、通信可能な携帯電話機用ストラップ１０から応答信号を受信する。応答信号には、携帯電話機用ストラップ１０のノードＩＤを示すデータが含まれている。
【００４４】
次に、マイクロコンピュータ３２２は、メモリ３２０に記憶された通信対象登録テーブル（図４（ｂ）参照）を参照し、受信したノードＩＤと合致する登録ノードＩＤに対応付けられた登録名を、選択肢として、液晶パネル３０６に表示する（ステップＡ１２）。
【００４５】
図６（ａ）は、ステップＡ１２の処理が行われるときに液晶パネル３０６に表示される通信先ストラップ選択画像を示す図である。
液晶パネル３０６には、「通信先を選んでください」という指示を示す画像が表示されるとともに、選択肢としての登録ノードＩＤと、登録名とを示す画像が表示されている。
なお、合致する登録ノードＩＤが通信対象登録テーブルに存在しなかったノードＩＤは、通信先ストラップ選択画像に表示されない。
【００４６】
使用者は、操作部３０４を操作し、登録名を選択することにより、通信先の携帯電話機用ストラップ１０を選択することができる。
次に、マイクロコンピュータ３２２は、メモリ３２０に記憶された選択画像表示情報テーブルに基づいて、送信情報選択画像（図６（ｂ）参照）を表示する（ステップＡ１３）。
【００４７】
図６（ｂ）は、ステップＡ１３の処理が行われるときに液晶パネル３０６に表示される送信情報選択画像を示す図である。
液晶パネル３０６には、「通信内容を選んでください」という指示を示す画像が表示されるとともに、選択肢としての星、ハート及び月と、各選択肢に対応付けられた登録内容とを示す画像が表示されている。
【００４８】
使用者は、操作部３０４を操作し、登録内容を選択することにより、通信先の携帯電話機用ストラップ１０において点灯するランプを選択することができる。
次に、マイクロコンピュータ３２２は、選択されたパターンを有する通信信号を、携帯電話機用ストラップ１０に対して送信する（ステップＡ１４）。
【００４９】
携帯電話機用ストラップ１０のマイクロコンピュータ１１は、携帯電話機３００からの通信信号を受信する（ステップＢ１０）。
マイクロコンピュータ１１は、メモリ１２に記憶された第一出力態様テーブル及び第二出力態様テーブル（図４（ａ）、（ｂ）参照）を参照し、通信信号パターンに応じた出力を選択する（ステップＢ１１）。具体的には、発光するランプと、そのランプの発光色とを選択する。
【００５０】
次に、マイクロコンピュータ１１は、通信信号パターンに応じた態様で出力する（ステップＢ１２）。例えば、携帯電話機３００Ｂにおいて登録名「山田」、登録内容「あとでメールください」が選択され（図６（ａ）、（ｂ）参照）、選択内容に応じたパターンを有する通信信号が発せられると、マイクロコンピュータ１１は、所定期間にわたって星型ランプ１８を赤色に点灯させる。
これにより、携帯電話機３００Ａの使用者は、携帯電話機３００Ａを操作することなく、携帯電話機用ストラップ１０により、携帯電話機Ｂの使用者からのメッセージを確認することができる。
【００５１】
ランプの点灯中にＹＥＳボタン１５又はＮＯボタン１６が操作されると、マイクロコンピュータ１１は、ＹＥＳボタン１５又はＮＯボタン１６からの信号を受信する（ステップＢ１３）。
次に、マイクロコンピュータ１１は、応答信号パターンテーブル（図４（ｅ）参照）を参照し、ＹＥＳボタン１５又はＮＯボタン１６に対応付けられたパターンの応答信号を、携帯電話機３００Ｂに対して送信する（ステップＢ１４）。
このように、本実施形態によれば、ＹＥＳボタン１５又はＮＯボタン１６を操作することにより、携帯電話機３００に対して返信が可能であるため、携帯電話機用ストラップ１０から携帯電話機３００に返信するときに、送信先を特定するための宛先の入力が不要である。
【００５２】
携帯電話機３００のマイクロコンピュータ３２２は、携帯電話機用ストラップ１０から応答信号を受信し（ステップＡ１５）、メモリ３２０に記憶された応答画像表示情報テーブル（図４（ｆ）参照）を参照し、応答信号パターンに対応付けられた情報を含む画像を表示する（ステップＡ１６）。
【００５３】
図６（ｃ）、（ｄ）は、ステップＡ１６の処理が行われるときに液晶パネル３０６に表示される画像である。
図６（ｃ）は、携帯電話機用ストラップ１０においてＹＥＳボタン１５が操作された場合に液晶パネル３０６に表示される画像である。
液晶パネル３０６には、携帯電話機用ストラップ１０の登録名「山田」と表示情報「了解しました」との情報を含む画像が表示されている。
【００５４】
図６（ｄ）は、携帯電話機用ストラップ１０においてＮＯボタン１６が操作された場合に液晶パネル３０６に表示される画像である。
液晶パネル３０６には、携帯電話機用ストラップ１０の登録名「山田」と表示情報「できません」との情報を含む画像が表示されている。
【００５５】
このように、携帯電話機用ストラップ１０によれば、無線通信部１３により、携帯電話機３００Ｂから通信信号を受信し、通信信号のパターンに応じたランプが点灯する。従って、携帯電話機３００Ｂは、携帯電話機用ストラップ１０に対して通信信号を出力することにより、携帯電話機用ストラップ１０に出力を行われることができ、携帯電話機用ストラップ１０を用いた簡単な通信が可能である。
【００５６】
本実施形態では、出力部が光の出力を行う場合について説明するが、本発明において、出力部の出力としては、特に限定されるものではなく、例えば、音、画像、振動、部材の動作等を挙げることができる。
【００５７】
本実施形態では、出力部が複数のランプからなり、どのランプが点灯するかにより、通信内容が通知され、そのランプが何色で点灯するかにより、通信先の携帯電話機３００がどれかが通知される場合について説明したが、本発明は、この例に限定されるものではない。
例えば、画像により、通信先の携帯電話機と通信内容を画像により表示することとしてもよい。また、音により通信先の携帯電話機を通知し、振動により通信内容を通知するというように、複数種類の出力を組み合わせてもよい。
【００５８】
また、本発明では、携帯電話機用ストラップ１０は、通信信号の送信元の携帯電話機３００に対して、応答信号を返信するように構成されているので、返信先を特定するための支持の入力が不要である。
【００５９】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００６０】
【図１】本発明の携帯電話機用ストラップと携帯電話機とを示す外観図である。
【図２】図１に示した携帯電話機用ストラップの内部構成を示すブロック図である。
【図３】図１に示した携帯電話機の内部構成を示すブロック図である。
【図４】（ａ）は、選択画像表示情報テーブルを示す図であり、（ｂ）は、通信対象登録テーブルを示す図であり、（ｃ）は、第一出力態様テーブルを示す図であり、（ｄ）は、第二出力態様テーブルを示す図であり、（ｅ）は、応答信号パターンテーブルを示す図であり、（ｆ）は、応答画像表示情報テーブルを示す図である。
【図５】携帯電話機と携帯電話機用ストラップとの間で行われる処理を示すフローチャートである。
【図６】（ａ）〜（ｄ）は、携帯電話機に表示される画像を示す図である。
【符号の説明】
【００６１】
１０  携帯電話機用ストラップ
１０ａ  本体部
１０ｂ  取付部
１０ｃ  ストラップ部
１１  マイクロコンピュータ
１２  メモリ
１５  ＹＥＳボタン
１６  ＮＯボタン
１８  星型ランプ
１９  ハート型ランプ
２０  月型ランプ
３００  携帯電話機
３０６  液晶パネル
【図１】
2009188614.tif 000003
【図２】
2009188614.tif 000004
【図３】
2009188614.tif 000005
【図４】
2009188614.tif 000006
【図５】
2009188614.tif 000007
【図６】
2009188614.tif 000008